(57)【要約】【課題】搭載するヒーターユニットの種類を変えた場合にも、記録媒体の巻取りに支障が生ずることのない巻取部用機台等を提供する。【解決手段】印刷部により印刷された長尺の記録媒体を巻き取る巻取りユニットを支持する巻取支持部と、印刷部から巻取りユニットに送られる記録媒体を乾燥すると共に、記録媒体の送りを案内するヒーターユニット２３を支持する上水平フレーム部１２１と、鉛直方向に延在し、上水平フレーム部１２１の一端が接続された鉛直フレーム部１２３と、を備え、鉛直フレーム部１２３に対する上水平フレーム部１２１の鉛直方向における接続位置を、調整可能に構成した。【選択図】図５
2014047033.tif 000002
【特許請求の範囲】
【請求項１】
印刷された記録媒体を巻き取る巻取りユニットを支持する巻取支持部と、
前記巻取りユニットに送られる前記記録媒体を乾燥すると共に前記記録媒体の送りを案内するヒーターユニットを、支持するヒーター支持部と、
鉛直方向に延在し、前記ヒーター支持部の一端が接続された鉛直部と、を備え、
前記鉛直部に対する前記ヒーター支持部の鉛直方向における接続位置が、調整可能に構成されていることを特徴とする巻取部用機台。
【請求項２】
前記ヒーター支持部および前記鉛直部が、それぞれ、４辺に蟻溝状の溝部を有する方形断面の複数の押出し形材を、複数の接続部材により枠組みして構成され、
前記各接続部材は、接続される２つの前記押出し形材の前記各溝部に係止することを特徴とする請求項１に記載の巻取部用機台。
【請求項３】
前記各接続部材は、接続される２つの前記押出し形材のコーナー部に設けられる取付板と、２つの前記押出し形材の前記各溝部に投入される雌ネジ付きの２枚の裏板と、前記取付板を貫通して前記各裏板に螺合する２本のボルトと、を有することを特徴とする請求項２に記載の巻取部用機台。
【請求項４】
前記押出し形材が、アルミニウムの押出し形材であることを特徴とする請求項１ないし３のいずれかに記載の巻取部用機台。
【請求項５】
請求項１ないし４のいずれかに記載の巻取部用機台と、
前記巻取部用機台に支持される巻取りユニットと、
を備えたことを特徴とする巻取装置。
【請求項６】
請求項５に記載の巻取装置と、
前記記録媒体に印刷を行う印刷部と、
を備えたことを特徴とする記録装置。
【発明の詳細な説明】
【技術分野】
【０００１】
本発明は、印刷された長尺の記録媒体を巻き取る巻取りユニットを支持する巻取部用機台、巻取装置および記録装置に関するものである。
【背景技術】
【０００２】
プリンター部により印刷された長尺のプリント媒体（布帛）を巻き取る巻取りローラーと、プリンター部から巻取りローラーに送られるプリント媒体を乾燥する乾燥ヒーターと、巻取ローラーや乾燥ヒーターを支持する架台とを有する巻取りユニットを備えたインクジェットプリント装置が知られている（特許文献１参照）。
【先行技術文献】
【特許文献】
【０００３】
【特許文献１】特開平８−１０８５８８号公報
【発明の概要】
【発明が解決しようとする課題】
【０００４】
ところで、このようなインクジェットプリント装置（記録装置）においては、乾燥ヒーター（ヒーターユニット）に、プリント媒体（記録媒体）が摺接する放熱面などを設け、プリンター部（印刷部）から巻取りローラー（巻取りユニット）に送られるプリント媒体の送りを案内する構成とすることが考えられる。また、プリント媒体の種別や印刷方法等によりプリント媒体の乾燥条件が異なるところ、１台の乾燥ヒーターであらゆる乾燥条件をカバーすることは困難であるため、プリント媒体の種別等に応じて、搭載する乾燥ヒーターの種類を変えるようにすることが考えられる。しかしながら、乾燥ヒーターがプリント媒体の送りを案内する場合には、搭載する乾燥ヒーターの種類（形状）を変えると、プリンター部から巻取りユニットまでの送り経路も変わることになるため、記録媒体の巻取りに支障が生ずるおそれがある。
【０００５】
本発明は、搭載するヒーターユニットの種類を変えた場合にも、記録媒体の巻取りに支障が生ずることのない巻取部用機台、巻取装置および記録装置を提供することを課題としている。
【課題を解決するための手段】
【０００６】
本発明の巻取部用機台は、印刷された記録媒体を巻き取る巻取りユニットを支持する巻取支持部と、巻取りユニットに送られる記録媒体を乾燥すると共に記録媒体の送りを案内するヒーターユニットを、支持するヒーター支持部と、鉛直方向に延在し、ヒーター支持部の一端が接続された鉛直部と、を備え、鉛直部に対するヒーター支持部の鉛直方向における接続位置が、調整可能に構成されていることを特徴とする。
【０００７】
この構成によれば、鉛直部に対するヒーター支持部の鉛直方向における接続位置が、調整可能に構成されていることで、ヒーター支持部に支持されるヒーターユニットの高さ位置を調整することができる。このため、搭載するヒーターユニットの種類を変えた場合にも、印刷部から巻取ユニットに送られる記録媒体の送りを案内するヒーターユニットのガイド面の位置が極力変わらないよう、ヒーターユニットの高さ位置を調整することができる。これにより、印刷部から巻取りユニットまでの送り経路が極力変わらないようにすることができ、記録媒体の巻取りに支障が生ずることのないようにすることができる。
【０００８】
この場合、ヒーター支持部および鉛直部が、それぞれ、４辺に蟻溝状の溝部を有する方形断面の複数の押出し形材を、複数の接続部材により枠組みして構成され、各接続部材は、接続される２つの押出し形材の各溝部に係止することが好ましい。
【０００９】
この構成によれば、ヒーター支持部および鉛直部を、押出し形材を各接続部材により枠組みして構成することができるため、溶接作業を要することなく、簡易に組み立てることができる。さらに、ヒーター支持部が、鉛直部を構成する押出し形材の溝部に係止する接続部材により接続されるため、その溝部を利用して、鉛直部に対するヒーター支持部の鉛直方向における接続位置を調整することができる。
なお、この場合、巻取支持部についても、簡易に組立可能とすべく、複数の押出し形材を複数の接続部材により枠組みして構成することが好ましい。
【００１０】
この場合、各接続部材は、接続される２つの押出し形材のコーナー部に設けられる取付板と、２つの押出し形材の各溝部に投入される雌ネジ付きの２枚の裏板と、取付板を貫通して各裏板に螺合する２本のボルトと、を有することが好ましい。
【００１１】
この構成によれば、接続される一方の押出し形材の溝部に裏板を投入し、ボルトを、取付板を貫通して裏板に対して締め付けると共に、他方の押出し形材に対しても、同様に、溝部に裏板を投入し、ボルトを、取付板を貫通して裏板に対し締め付けるという簡易な操作により、２つの押出し形材を接続することができ、鉛直部およびヒーター支持部を組み立てることができる。さらに、鉛直部に対するヒーター支持部の鉛直方向における接続位置を調整する際には、鉛直部を構成する押出し形材の溝部に投入された裏板に螺合したボルトを緩め、その状態で、ボルトの緩められた裏板が投入された溝部内を上下にスライドするようにして、ヒーター支持部を所望の位置まで昇降させた後、緩めたボルトを、再び裏板に対し締め付けるようにすればよい。つまり、ボルトを緩め、締め付けるという簡易な操作により、鉛直部に対するヒーター支持部の鉛直方向における接続位置を調整することができる。
【００１２】
この場合、押出し形材が、アルミニウムの押出し形材であることが好ましい。
【００１３】
この構成によれば、巻取部用機台をスチールフレームにより構成した場合に比べ、軽量化することができる。
【００１４】
本発明の巻取装置は、上記の巻取部用機台と、巻取部用機台に支持される巻取りユニットと、を備えたことを特徴とする。
【００１５】
この構成によれば、搭載するヒーターユニットの種類を変えた場合にも、記録媒体の巻取りに支障が生ずることのない巻取部用機台を備えたことで、種々のヒーターユニットを搭載することができ、使い勝手が良い。
【００１６】
本発明の記録装置は、上記の巻取装置と、記録媒体に印刷を行う印刷部と、を備えたことを特徴とする。
【００１７】
この構成によれば、搭載するヒーターユニットの種類を変えた場合にも、記録媒体の巻取りに支障が生ずることのない巻取部用機台を有する巻取装置を備えたことで、記録媒体の種別や印刷方法等に適した乾燥条件となるヒーターユニットを搭載することができる。このため、記録媒体の巻取りに支障が生ずることなく、記録媒体の種別や印刷方法等に適した乾燥を行うことができる。
【図面の簡単な説明】
【００１８】
【図１】実施形態に係るインクジェット記録装置を模式的に表した断面構造図である。
【図２】インクジェット記録装置における巻取部用機台を送り方向下流側から見た図である。
【図３】インクジェット記録装置における巻取部用機台を装置左側から見た図である。
【図４】図３において一点鎖線で囲んだ部分の拡大図である。
【図５】搭載するヒーターユニットの種類に応じて、上水平フレーム部の鉛直フレーム部に対する鉛直方向における接続位置を変更、或いは、取り外した状態を示す図である。
【発明を実施するための形態】
【００１９】
以下、添付の図面を参照して、本発明の一実施形態に係るインクジェット記録装置について説明する。このインクジェット記録装置は、いわゆるリール・ツー・リールの形式で除給材される布帛（原反）に、専用に染料インクを用いインクジェット方式で文様等を印刷（捺染）するものである。なお、以下の説明では、布帛である記録媒体の正逆送り方向をＸ軸方向と、Ｘ軸方向に直交する方向をＹ軸方向と規定する。
【００２０】
図１は、インクジェット記録装置の断面構造図である。同図に示すように、このインクジェット記録装置１は、ロール状に巻回された記録媒体Ｗを繰り出して送る繰出部２と、繰り出された記録媒体Ｗを送り経路３に沿って印刷のために送る装置本体４と、装置本体４の上側に配設され、装置本体４と協働して記録媒体Ｗにインクジェット方式で印刷を行う印刷部５と、印刷部５により印刷された記録媒体Ｗを、装置本体４の送り方向下流側において巻き取って回収する巻取部６と、これら構成装置を統括制御する制御部７と、を備えている。
【００２１】
装置本体４は、鋼材を組んで構成した本体用機台１１と、本体用機台１１に支持され、記録媒体Ｗをベルト搬送によりＸ軸方向に間欠送りする媒体送り機構１２と、を有している。印刷部５は、インクジェットヘッド１５を有するキャリッジユニット１４と、キャリッジユニット１４をＹ軸方向に往復動させるヘッド移動機構１６と、を有している。一方、繰出部２は、記録媒体Ｗを繰り出す繰出しユニット１８と、繰り出され記録媒体Ｗの弛みを取る弛取りユニット１９と、を有している。また、巻取部６は、記録媒体Ｗを巻き取る巻取りユニット２１と、巻取りユニット２１に間紙Ｐを供給する間紙ユニット２２と、記録媒体Ｗを巻き取る前に記録媒体Ｗに浸み込んだ染料インクの溶剤（水分）を気化させるヒーターユニット２３とを有し、これらを巻取部用機台２４に搭載して構成されている。
【００２２】
繰出しユニット１８から繰り出されて記録媒体Ｗ（布帛）は、弛取りユニット１９により張られるようにして弛みが取られ、媒体送り機構１２に送り込まれる。媒体送り機構１２に送り込まれた記録媒体Ｗは、表面に粘着されるようにしてベルト搬送される。このベルト搬送では、記録媒体ＷがＸ軸方向に間欠送りされる（副走査）一方、これに同期してキャリッジユニット１４がＹ軸方向に往復動し、インクジェットヘッド１５からインク吐出が行われる（主走査）。
【００２３】
このようにして、印刷が行われた後、記録媒体Ｗの印刷済み部分（捺染済み部分）は、媒体送り機構１２から巻取部６に送り出される。巻取部６では、媒体送り機構１２から送り出された記録媒体Ｗに、間紙ユニット２２から間紙Ｐが連続的に供給され、記録媒体Ｗと間紙Ｐとが重なってヒーターユニット２３に送られる。ヒーターユニット２３では、間紙Ｐと共に記録媒体Ｗが加熱され、染料インクの溶剤（水分）が気化される。このようにして、乾燥処理された捺染済みの記録媒体Ｗは、間紙Ｐと共に巻取りユニット２１に巻き取られる。
【００２４】
繰出しユニット１８は、上記の本体用機台１１に固定された左右（Ｙ軸方向）一対のＴ字状フレーム３２、および一対のＴ字状フレーム３２間に渡した複数本の棒状フレーム３３から成る繰出しフレーム３１と、一対のＴ字状フレーム３２にＹ軸方向にスライド自在に支持され、Ｙ軸方向に延在する２本の繰出し側ロッドベース３４と、２本の繰出し側ロッドベース３４にスライド自在に支持された一対の繰出し軸突起３５と、を有している。各繰出し軸突起３５の先端部は円錐台形状に形成されており、一対の繰出し軸突起３５は、記録媒体Ｗの幅に対応させた相互の幅寄せにより、それぞれの先端部をロール状の記録媒体Ｗの繰出しコアに嵌入させて、記録媒体Ｗを水平に支持している。
【００２５】
一対の繰出し軸突起３５は、モーター駆動の幅移動ユニット３６により、２本の繰出し側ロッドベース３４を介して左右（記録媒体Ｗの幅方向）に一体に移動するようになっている。後述する蛇行検出センサー４８により、記録媒体Ｗの幅方向における位置ズレが検出されると、一対の繰出し軸突起３５を左右に微小移動させる。これにより、巻回された記録媒体Ｗの耳部（幅端）が竹の子状となり、記録媒体Ｗに軸方向の巻ズレが生じている場合に、記録媒体Ｗの媒体送り機構１２に対する幅方向の位置ズレ、すなわち媒体送り機構１２において記録媒体Ｗが蛇行（斜行）するのを防止している。
【００２６】
また、一対の繰出し軸突起３５の一方には、モーター駆動の回転ユニット３７が組み込まれており、この回転ユニット３７により、一対の繰出し軸突起３５を繰出し回転させて記録媒体Ｗを繰り出すようにしている。さらに、繰出しユニット１８の下方には、繰出しユニット１８から繰り出された記録媒体Ｗの有無を検出する反射型の光センサー１４２（図２参照）が設けられている。
【００２７】
本実施形態では、記録媒体Ｗに一定のテンションを与えつつ繰り出すテンションモードと、可能な限りテンションを少なくして繰り出す弛みモードとがあり、記録媒体Ｗ別にモード切替えを行うようにしている。このテンションモードと弛みモードとは、印刷部５に設けた操作画面（図示省略）において、ＧＵＩ（Graphical  User  Interface）ボタンにより切替可能となっている。
【００２８】
テンションモードは、伸縮性の低い通常の布帛（記録媒体Ｗ）を対象とするものであり、この場合には、例えばパーソナルコンピューターで構成された制御部７が、記録媒体Ｗに所要のテンションを付与して第１ローラー４５に向けて繰り出すように、回転ユニット３７を制御する。より具体的には、制御部７は、回転ユニット３７のモーターのトルク制御により、媒体送り機構１２による記録媒体Ｗの送り動作時には、記録媒体Ｗを繰り出すように回転ユニット３７を駆動し、媒体送り機構１２による記録媒体Ｗの送り停止時には、記録媒体Ｗを僅かに巻き戻すように回転ユニット３７を駆動する。これにより、繰出しユニット１８と弛取りユニット１９との間の記録媒体Ｗにテンションが付与された状態で、記録媒体Ｗが送られる。
【００２９】
一方、弛みモードは、例えばストッキング地のように伸縮性の高い布帛（記録媒体Ｗ）を対象とするものであり、この場合には、制御部７が、繰り出した記録媒体Ｗがいったん下方に弛んでから、弛取りユニット１９に送り込まれるように、回転ユニット３７を制御する（図１では弛み部分の記録媒体Ｗを破線で示す）。すなわち、制御部７は、媒体送り機構１２による記録媒体Ｗの送り動作に伴って、記録媒体Ｗの弛み量が少なくなり、繰出しユニット１８の下方に設けられた光センサー１４２が記録媒体Ｗの「無」を検出すると、記録媒体Ｗを繰り出すように回転ユニット３７を正回転駆動させ、これにより弛み量が増加し、光センサー１４２が記録媒体Ｗの「有」を検出すると、回転ユニット３７の駆動を停止させる。この弛み量の制御により、繰出しユニット１８と弛取りユニット１９との間の記録媒体Ｗが適切に弛んだ状態で、記録媒体Ｗが送られる。
【００３０】
弛取りユニット１９は、後述する媒体送り機構１２のサイドフレーム６２に固定された左右（Ｙ軸方向）一対のＬ字状フレーム４２、および一対のＬ字状フレーム４２間に渡したロッドフレーム４３から成る弛取りフレーム４１と、一対のＬ字状フレーム４２に両持ちで回転自在に支持されたローラー群４４と、を有している。ローラー群４４は、繰出しユニット１８から送り込まれた記録媒体Ｗの送り経路３を複数個所で屈曲させるべく、送り方向の上流側から第１ローラー４５、第２ローラー４６および第３ローラー４７の順で配設されており、それぞれ摩擦係数の高いローラーで構成されている。
【００３１】
繰出しユニット１８から繰り出された記録媒体Ｗは、第１ローラー４５でＵターンするようにして第２ローラー４６および第３ローラー４７に達する。第２ローラー４６および第３ローラー４７は、上下に近接して配設されており、両端部を一体に形成した一対の軸受部５１に回転自在に支持されている。また、各軸受部５１は、Ｌ字状フレーム４２に回動自在に支持され、一方の軸受部５１には、第２ローラー４６および第３ローラー４７の上下の配置角度を調整する角度調整ユニット５２が組み込まれている。
【００３２】
第２ローラー４６および第３ローラー４７を通過する記録媒体Ｗは、「Ｓ」字状に経路変更されるが、記録媒体Ｗの種別に応じてこの「Ｓ」字カーブを変形調整し、記録媒体Ｗ別に適度なテンションを付与できるようにしている。これにより、記録媒体Ｗは、部分的な弛みや皺が解消されて、媒体送り機構１２に送り込まれる。なお、これらのローラー４５，４６，４７は、記録媒体Ｗに中心から外側に向かう分力が作用するよう、中高の形状とすることが好ましい。また、第１ローラー４５と第２ローラー４６との間には、蛇行検出センサー４８が設けられている。
【００３３】
媒体送り機構１２は、上記の本体用機台１１上に載置固定した左右（Ｙ軸方向）一対のサイドフレーム６２を有する本体フレーム６１と、一対のサイドフレーム６２に支持され、無端の搬送ベルト６４を有するベルト搬送ユニット６３と、ベルト搬送ユニット６３の下側に配設したベルト洗浄ユニット６５と、を備えている。また、媒体送り機構１２は、上流側においてベルト搬送ユニット６３に上側から臨む押圧ローラー６６と、下流側においてベルト搬送ユニット６３に対し斜め上方に配設された分離ローラー６７と、を備えている。
【００３４】
本体フレーム６１は、厚手の板材で構成された一対のサイドフレーム６２と、一対のサイドフレーム６２を連結する前後（Ｘ軸方向）一対の連結フレーム７１と、を有しており、一対のサイドフレーム６２の部分で本体用機台１１に載置固定されている。また、本体フレーム６１は、一対の連結フレーム７１間に位置して、一対のサイドフレーム６２を連結すると共に、上記のベルト洗浄ユニット６５を支持する支持フレーム７２を有している。各サイドフレーム６２には、ベルト搬送ユニット６３を取り付けるための切欠き部や、印刷部５を取り付けるための切欠き部が適宜設けられ、またベルト洗浄ユニット６５を点検するための開口部が形成されている。
【００３５】
ベルト搬送ユニット６３は、送り方向の下流側に位置する駆動プーリー８１と、送り方向の上流側に位置する従動プーリー８２と、駆動プーリー８１および従動プーリー８２間に架け渡した無端の搬送ベルト６４と、を有している。また、ベルト搬送ユニット６３は、従動プーリー８２の近傍に位置して、搬送ベルト６４の走行をガイドする第１ガイドプレート８３と、印刷部５の直下に位置して、搬送ベルト６４の走行をガイドする第２ガイドプレート８４と、上記の支持フレーム７２の直上に位置して、裏側に回り込んだ搬送ベルト６４の走行をガイドする第３ガイドプレート８５と、を有している。
【００３６】
第１ガイドプレート８３および第２ガイドプレート８４は、相互の表面が面一（同一水平面）となるように配設した状態で、一対のサイドフレーム６２間に架け渡されており、本体フレーム６１の一部としても機能している。また、第１ガイドプレート８３は、従動プーリー８２から離れた直後の搬送ベルト６４（の上側）が水平に走行するようにガイドし、第２ガイドプレート８４は、印刷領域に位置する搬送ベルト６４（の上側）に、弛みが生じないようにガイドしている。したがって、第２ガイドプレート８４の直上に位置する搬送ベルト６４は、プラテンとして機能する。さらに、第３ガイドプレート８５は、ベルト洗浄ユニット６５により突き上げ力を受ける搬送ベルト６４を、押さえるようにガイドしている（詳細は後述する。）。
【００３７】
駆動プーリー８１および従動プーリー８２は、専用の軸受を介して、一対のサイドフレーム６２に回転自在に支持されており、駆動プーリー８１の一方の軸端には、搬送ベルト６４を間欠で走行させる搬送モーター８６が連結されている。搬送ベルト６４は、外周面（表面）に粘着性を有する（粘着処理）幅広の特殊なベルトで構成され、記録媒体Ｗを貼着してこれをＸ軸方向に送る。これにより、記録媒体Ｗは、印刷部５の直下において、捲れ等を生ずることなく印刷送り（間欠送り）される。
【００３８】
従動プーリー８２の上側には、弛取りユニット１９から送り込まれた記録媒体Ｗを、搬送ベルト６４に貼着する押圧ローラー６６が配設されている。押圧ローラー６６は、サイドフレーム６２に回動自在に支持された一対の支持アーム８７の先端部に、回転自在に支持されている。また、押圧ローラー６６は、所定の弾力性と自重を有しており、その自重により、従動プーリー８２の直上において記録媒体Ｗを搬送ベルト６４に押し付ける。すなわち、押圧ローラー６６と従動プーリー８２とは、搬送ベルト６４を挟んでニップローラーとして機能し、走行する搬送ベルト６４に記録媒体Ｗを連続的に貼着する。なお、各支持アーム８７の中間位置には、支持アーム８７を回動させるためのエアーシリンダー８８が連結されており、一対のエアーシリンダー８８を同期駆動させることにより、押圧ローラー６６が搬送ベルト６４から引き離される。
【００３９】
一方、駆動プーリー８１の斜め上方には、印刷後の記録媒体Ｗを搬送ベルト６４から引き剥がして、巻取部６に送り込む分離ローラー６７が配設されている。分離ローラー６７は、サイドフレーム６２から延びる一対のサブフレーム８９に回動自在に支持されている。この場合、分離ローラー６７は、駆動プーリー８１を周回して裏側に回り込む搬送ベルト６４から記録媒体Ｗを相対的に引き剥がすものであるが、実際の動作では、搬送ベルト６４からの引き剥がし力は、記録媒体Ｗの種別で異なるものとなる。このため、記録媒体Ｗの種別により、搬送ベルト６４が周回を開始する位置で剥がれ始めるものと、ある程度周回が進んだ位置で剥がれ始めるものとがある。但し、引き剥がしのポイントが裏側に回り込むと、記録媒体Ｗが搬送ベルト６４に巻き込まれるおそれが生ずる。
【００４０】
そこで、本実施形態では、搬送ベルト６４から分離ローラー６７に送られてゆく記録媒体Ｗの角度を位置検出し、この位置検出の検出結果に基づいて巻取りユニット２１を巻取り駆動し、引き剥がしのポイントが搬送ベルト６４の裏側に回り込むのを防止している。
【００４１】
ベルト洗浄ユニット６５は、搬送ベルト６４の下側において上記の支持フレーム７２に支持され、搬送ベルト６４を横断するようにＹ軸方向に延在している。ベルト洗浄ユニット６５は、支持フレーム７２に載置されるユニットベース９１と、ユニットベース９１に立設するように設けた昇降シリンダー９２と、昇降シリンダー９２により昇降される洗浄ユニット本体９３と、洗浄ユニット本体９３の昇降をガイドする一対の昇降ガイド９４と、を備えている。
【００４２】
また、洗浄ユニット本体９３は、Ｙ軸方向に延在すると共に洗浄液を貯留する箱状の洗浄容器９６と、洗浄容器９６に収容した回転ブラシ９７と、回転ブラシ９７を回転させる洗浄モーター９８と、搬送ベルト６４に付着した洗浄液を相対的に掻き取るワイパー９９と、を有している。ワイパー９９は、洗浄容器９６の内側に取り付けられ、「Ｖ」字状に配設した２枚のワイピングブレード９９ａで構成され、走行する搬送ベルト６４に接触して洗浄液を掻き取るようにしている。なお、最終的に搬送ベルト６４に残った洗浄液は、ウエスで拭き取るようにしている。また、洗浄液は、外部タンクとの間でフィルタリングしながら循環させることが好ましい。
【００４３】
粘着性を有する搬送ベルト６４には、経時的に糸くずや塵埃が付着するため、ベルト洗浄ユニット６５により、搬送ベルト６４の定期的な洗浄を実施する。この洗浄作業では、回転ブラシ９７およびワイパー９９が搬送ベルト６４に接触する位置まで洗浄ユニット本体９３を上昇させた後、搬送ベルト６４を走行させると共に走行に対し逆方向となるよう回転ブラシ９７を回転させる。このとき、搬送ベルト６４は、上記の第３ガイドプレート８５により押さえられ、水平姿勢を維持したまま回転ブラシ９７と接触する。これにより、搬送ベルト６４（の粘着面）は、連続的にブラッシング洗浄される。なお、洗浄後の搬送ベルト６４には、粘着力を回復させるべく粘着処理を行うことが好ましい。
【００４４】
印刷部５は、送り経路３（ベルト搬送ユニット６３）を跨ぐようにＹ軸方向に延在するプリンターフレーム１０１と、プリンターフレーム１０１に支持されたヘッド移動機構１６と、ヘッド移動機構１６に搭載されてＹ軸方向に往復動するキャリッジユニット１４と、これらを覆うプリンターカバー１０２と、を備えている。また、特に図示しないが、印刷部５には、インクジェットヘッド１５を保守するキャップユニットやクリーニングユニットが搭載されている。なお、印刷部５における、いわゆるペーパーギャップ（ワークギャップ）は、各種の記録媒体Ｗにおいてその厚みに幅があるため、装置本体４（媒体送り機構１２）に対し、印刷部５全体を昇降させることにより調整される。
【００４５】
プリンターフレーム１０１は、Ｙ軸方向に延在する板金製の梁状フレーム１０４と、梁状フレーム１０４を両端部で支持する板金製の一対の立設フレーム１０５とを有し、一対の立設フレーム１０５の部分で、上記のサイドフレーム６２に支持されている。なお、プリンターカバー１０２は、このプリンターフレーム１０１に取り付けられている。
【００４６】
キャリッジユニット１４は、カラープリント用の複数色のノズル列を有するインクジェットヘッド１５と、ノズル面が下向きになるようにインクジェットヘッド１５を保持するキャリッジ１０７と、を有している。なお、各ノズル列に供給される各色の染料インクは、いわゆるオフキャリッジのインクタンクから供給される。
【００４７】
ヘッド移動機構１６は、キャリッジユニット１４を片持ちでＹ軸方向にスライド自在に支持するキャリッジガイド１１１と、キャリッジガイド１１１を往復動させるベルト伝導機構１１２と、ベルト伝導機構１１２を駆動させるキャリッジモーター１１３と、を有している。キャリッジガイド１１１は、下側のメインガイド１１４と上側のサブガイド１１５とから成り、メインガイド１１４およびサブガイド１１５は、その両端部で上記一対の立設フレーム１０５に支持されている。ベルト伝導機構１１２は、タイミングベルト１１６を有し、タイミングベルト１１６の一部がキャリッジユニット１４（キャリッジ１０７）に固定されている。
【００４８】
キャリッジモーター１１３によりタイミングベルト１１６を正逆走行させると、キャリッジユニット１４が、キャリッジガイド１１１に案内されてＹ軸方向に往復動する。キャリッジガイド１１１の移動位置は、リニアエンコーダーにより検出され、この検出結果と印刷データに基づいて、インクジェットヘッド１５から各色の染料インクが選択的に吐出される。これにより、記録媒体Ｗへの印刷（捺染）が行われる。
【００４９】
巻取部６は、Ｘ軸方向において本体用機台１１に着脱自在に連結した巻取部用機台２４と、巻取部用機台２４の上部に支持されたヒーターユニット２３と、巻取部用機台２４の下部に支持された巻取りユニット２１および間紙ユニット２２と、を備えている。捺染された記録媒体Ｗは、インクが裏移りしない厚手の記録媒体Ｗをそのまま巻き取る方式と、インクが裏移りしやすい薄手の記録媒体Ｗに間紙Ｐを重ねて巻き取る方式があり、実施形態の巻取部６は、いずれの方式にも対応可能な設計となっている。以下、後者の方式を採用した場合について説明する。
【００５０】
巻取部用機台２４は、詳細は後述するが、上水平フレーム部１２１と、下水平フレーム部１２２と、上水平フレーム部１２１および下水平フレーム部１２２がそれぞれ接続された鉛直フレーム部１２３とを有し、アルミニウムの押出し形材を縦横に組んで構成されている。そして、鉛直フレーム部１２３の部分で、本体用機台１１に着脱自在に連結されている。
【００５１】
ヒーターユニット２３は、円弧状の放熱面１２５ａを有する放熱プレート１２５と、放熱プレート１２５に内貼りしたヒーター１２６と、放熱プレート１２５の内側の左右両端部に設けられ、象の鼻の形状を有する左右一対の支持プレート１２８とを備えている。また、ヒーターユニット２３（支持プレート１２８）は、その上半部を上水平フレーム部１２１に載置した状態で、上水平フレーム部１２１に設けた左右の固定部材１２７により、上水平フレーム部１２１に取り付けられている。放熱プレート１２５の上端部は、上記の分離ローラー６７に近接し且つ分離ローラー６７より僅かに低い位置に配設されている。また、放熱プレート１２５の上端部は、この部分に下方から導入される間紙Ｐを経路変更するために、下向きの円弧状に折曲げ形成されている。
【００５２】
分離ローラー６７を通過した記録媒体Ｗは、放熱プレート１２５の上端部で下方から送られてくる間紙Ｐと重なり、放熱プレート１２５の円弧状の外面（放熱面１２５ａ）に案内されて下方に送られる。放熱面１２５ａに摺接しながら上下方向に送られてゆく記録媒体Ｗおよび間紙Ｐは、ヒーター１２６により連続的に加熱される。この加熱により、記録媒体Ｗに浸み込んだ染料インクの溶剤（水分）が気化し、布帛に染料が定着する。
【００５３】
間紙ユニット２２は、ロール状の間紙Ｐを繰り出す間紙ローラー１３１と、繰り出された間紙Ｐを放熱プレート１２５の上端部に向かって経路変更するガイドバー１３２と、を有している。ガイドバー１３２は、下水平フレーム部１２２と鉛直フレーム部１２３とを連結する下斜材１６６の部分に固定されている。また、間紙ローラー１３１は、制動機構を組み込んだ一対の軸受ユニット１３３を介して、下水平フレーム部１２２の前部に支持されている。この一対の軸受ユニット１３３により、間紙Ｐは、弛みを生ずることなく繰り出される。
【００５４】
巻取りユニット２１は、上記の繰出しユニット１８と同様に、下水平フレーム部１２２の前後中間部に支持され、Ｙ軸方向に延在する２本の巻取り側ロッドベース１３５と、２本の巻取り側ロッドベース１３５にスライド自在に支持された一対の巻取り軸突起１３６と、を有している。また、巻取りユニット２１は、放熱プレート１２５の下端部と一対の巻取り軸突起１３６との間の送り経路３に位置して、記録媒体Ｗおよび間紙Ｐに張りを与えるテンションローラー１３７を有している。
【００５５】
各巻取り軸突起１３６の先端部は円錐台形状に形成されており、一対の巻取り軸突起１３６は、記録媒体Ｗの幅に対応させた相互の幅寄せにより、それぞれの先端部を、記録媒体Ｗを巻き取る巻取りコアに嵌入させて、これを水平に支持している。一対の巻取り軸突起１３６の一方には、モーター駆動の回転ユニット１３８が組み込まれており、一対の巻取り軸突起１３６を巻取り回転させて、記録媒体Ｗおよび間紙Ｐを同時に巻き取るようにしている。そして、回転ユニット１３８は、上述のように、分離ローラー６７の近傍において、分離ローラー６７に送られてゆく記録媒体Ｗの角度検出に基づいて、制御される。
【００５６】
テンションローラー１３７は、下水平フレーム部１２２の後部に回動自在に支持された一対の回動アーム１３９の先端部に、回転自在に支持されている。そして、テンションローラー１３７は、巻取りコアに巻き取られる記録媒体Ｗおよび間紙Ｐの間紙Ｐ側に転接し、その自重により記録媒体Ｗおよび間紙Ｐを下方に回動付勢している。これにより、記録媒体Ｗおよび間紙Ｐに適度なテンションが付与され、記録媒体Ｗおよび間紙Ｐは、巻き締めるようにして巻取りコアに巻き取られる。
【００５７】
次に、図２ないし図４を参照して、巻取部用機台２４について詳細に説明する。上述したように、巻取部用機台２４は、水平方向に延在し、ヒーターユニット２３を支持する上水平フレーム部１２１と、水平方向に延在し、巻取りユニット２１を支持する下水平フレーム部１２２と、鉛直方向に延在し、上水平フレーム部１２１および下水平フレーム部１２２の一端が接続された鉛直フレーム部１２３とを有し、アルミニウムの押出し形材を縦横に組んで構成されている。
【００５８】
上水平フレーム部１２１は、Ｘ軸方向に延在する左右一対の上縦フレーム部材１５１と、Ｙ軸方向に延在し、一対の上縦フレーム部材１５１の前端部（送り方向下流側）および前後中間部において間に渡した２本の上横フレーム部材１５２（図では前端部において渡した上横フレーム部材１５２のみを示す）と、一対の上縦フレーム部材１５１および左右両端の柱状フレーム部材１７２（後述する）を連結する一対の上斜材１５３とを、接続金具１６７により枠組みして構成されている。また、前後中間部に設けられた上横フレーム部材１５２の左右両端部には、上記の固定部材１２７が取り付けられている。なお、十分な強度が保たれる場合には、一対の上斜材１５３を設けなくてもよい。
【００５９】
このように構成された上水平フレーム部１２１に、ヒーターユニット２３が支持される。具体的には、ヒーターユニット２３の左右一対の支持プレート１２８が、前端部に設けられた上横フレーム部材１５２の左右両端部に載置されると共に、その後面（送り方向上流側の側面）において固定部材１２７に固定される（図１参照）。
【００６０】
下水平フレーム部１２２は、Ｘ軸方向に延在し、Ｙ軸方向に等間隔に並ぶ４本（図では１本のみ示す）の下縦フレーム部材１６１と、Ｙ軸方向に延在し、４本の下縦フレーム部材１６１の前端部に設けられた下横フレーム部材１６２と、一番左側の下縦フレーム部材１６１の左側に、前後略中間部に設けられた前後一対の短横フレーム部材１６３と、一対の短横フレーム部材１６３の先端側に設けられた上下一対の短縦フレーム部材１６４と、一対の短縦フレーム部材１６４の前後両端部において間に渡した前後一対の短鉛直フレーム部材１６５と、左右両端の下縦フレーム部材１６１および左右両端の柱状フレーム部材１７２（後述する）を連結する一対の下斜材１６６とを、接続金具１６７により枠組みして構成されている。なお、４本の下縦フレーム部材１６１は、互いに同一の長さに構成され、一対の上縦フレーム部材１５１よりも長く構成されている。
【００６１】
このように構成された下水平フレーム部１２２の前後中間部に、巻取りユニット２１が支持される。具体的には、上側の短縦フレーム部材１６４に、巻取りユニット２１の左端部が載置されると共に、一番右側の下縦フレーム部材１６１に、図示しないブラケットを介して、巻取りユニット２１の右端部が支持される。また、下水平フレーム部１２２（左右両端の下縦フレーム部材１６１）の前部には、上記の間紙ローラー１３１が支持されている。さらに、上記したように、下斜材１６６にはガイドバー１３２が固定されている。
【００６２】
鉛直フレーム部１２３は、Ｙ軸方向に延在する上下一対の桁状フレーム部材１７１と、鉛直方向に延在し、一対の桁状フレーム部材１７１間に渡した４本の柱状フレーム部材１７２とを、接続金具１６７により枠組みして構成されている。４本の柱状フレーム部材１７２は、上記した４本の下縦フレーム部材１６１に対応して、Ｙ軸方向に等間隔に並んでいる。
【００６３】
このように構成された鉛直フレーム部１２３には、上水平フレーム部１２１および下水平フレーム部１２２の後端がそれぞれ接続されている。すなわち、上水平フレーム部１２１の一対の上縦フレーム部材１５１の後端が、鉛直フレーム部１２３の左右両端の柱状フレーム部材１７２に対し、そのコーナー部に設けられた接続金具１６７により接続されている。また、下水平フレーム部１２２の左右両端の下縦フレーム部材１６１の後端が、鉛直フレーム部１２３の下側の桁状フレーム部材１７１に対し、そのコーナー部に設けられた接続金具１６７により接続されている。
【００６４】
なお、左右両端の柱状フレーム部材１７２には、その下端部に、左右一対の位置決めピン１７３が設けられ、その上端部に、左右一対の連結ブラケット１７４が設けられている。位置決めピン１７３は、本体用機台１１に設けられた位置決め孔（図示省略）に係合し、本体用機台１１に対して巻取部用機台２４を位置決めする。また、左右一対の連結ブラケット１７４により、巻取部用機台２４が左右のサイドフレーム６２に連結される。さらに、左右両端の下縦フレーム部材１６１、下横フレーム部材１６２および下側の桁状フレーム部材１７１で構成される方形の四隅には、４個のキャスター１７５が取り付けられている。
【００６５】
これらの各フレーム部材（上縦フレーム部材１５１、上横フレーム部材１５２、下縦フレーム部材１６１、下横フレーム部材１６２、短横フレーム部材１６３、短縦フレーム部材１６４、短鉛直フレーム部材１６５、桁状フレーム部材１７１、柱状フレーム部材１７２）や各斜材（上斜材１５３、下斜材１６６）は、いずれも、アルミニウムの押出し形材で構成され、長さが異なるだけでそれぞれ同様の構造を有している。
【００６６】
図４に、上縦フレーム部材１５１により他の各フレーム部材や各斜材を代表して、押出し形材の構造を示す。上縦フレーム部材１５１は、４辺に蟻溝状の溝部１８１を有し、方形断面の中空形状に形成されている（図２および図３では、溝部１８１を省略して示している）。各溝部１８１は、押出し形材の端から端に亘って形成されており、外方に開放された断面「Ｃ」字状に形成されている。
【００６７】
一方、各接続金具１６７についても、それぞれ同様に構成されており、図４に、左右一対の上縦フレーム部材１５１と左右両端の柱状フレーム部材１７２とを接続する接続金具１６７により他の接続部材を代表して、その構成を示す。各接続金具１６７は、上縦フレーム部材１５１と柱状フレーム部材１７２とのコーナー部に設けられた取付板１８２と、上縦フレーム部材１５１の溝部１８１および柱状フレーム部材１７２の溝部１８１に、小口からそれぞれ投入された２枚の裏板１８３と、２本のボルト１８４とから構成されている。取付板１８２は、略「Ｌ」字状に形成され、「Ｌ」字の各片を連結する連結部１８２ａが一体形成されると共に、各ボルト１８４が貫通する貫通孔が２つ形成されている。各裏板１８３には、雌ネジが形成された接続孔が２つ形成されている。各ボルト１８４は、取付板１８２に形成された各貫通孔を貫通して、各裏板１８３に形成された各接続孔に螺合する。各ボルト１８４を裏板１８３に締め付けることで、取付板１８２が溝部１８１に係止され、これにより、上縦フレーム部材１５１と柱状フレーム部材１７２とが、取付板１８２を介して固定される。
【００６８】
このように、上水平フレーム部１２１、下水平フレーム部１２２および鉛直フレーム部１２３を、複数の押出し形材を複数の接続金具１６７により枠組みして構成することができるため、溶接作業を要することなく、簡易に組み立てることができる。なお、上斜材１５３および下斜材１６６に設けられた接続金具１６７については、取付板１８２が、その鋭角となるコーナー部に合わせた形状（略「Ｖ」字状）となっているが、その他の点については、図４に示した接続金具１６７と同様に構成されている。
【００６９】
このように構成された巻取部用機台２４は、鉛直フレーム部１２３の溝部１８１を利用して、鉛直フレーム部１２３に対する上水平フレーム部１２１の鉛直方向における接続位置を調整することができる。具体的には、まず、上縦フレーム部材１５１と柱状フレーム部材１７２のコーナー部に設けられた接続金具１６７について、柱状フレーム部材１７２の溝部１８１に投入された裏板１８３に螺合したボルト１８４を緩めておく。これと共に、上斜材１５３と柱状フレーム部材１７２のコーナー部に設けられた接続金具１６７について、柱状フレーム部材１７２の溝部１８１に投入された裏板１８３に螺合したボルト１８４を緩めておく。この状態で、ボルト１８４が緩められた２枚の裏板１８３が、柱状フレーム部材１７２の溝部１８１内を上下にスライドするようにして、上水平フレーム部１２１を所望の位置まで昇降させた後、緩めたボルト１８４を、再び裏板１８３に対して締め付けるようにすればよい。このように、ボルト１８４を緩め、締め付けるという簡易な操作により、鉛直フレーム部１２３に対する上水平フレーム部１２１の鉛直方向における接続位置を調整することができる。
【００７０】
このように、巻取部用機台２４は、鉛直フレーム部１２３に対する上水平フレーム部１２１の鉛直方向における接続位置を調整することができるため、搭載するヒーターユニット２３の種類を変えた場合にも、印刷部５から巻取りユニット２１に送られる記録媒体Ｗおよび間紙Ｐの送りを案内するヒーターユニット２３の放熱面１２５ａの位置が極力変わらないように、ヒーターユニット２３の高さ位置を調整することができる。これにより、印刷部５から巻取りユニット２１までの送り経路３が極力変わらないようにすることができ、記録媒体Ｗおよび間紙Ｐの巻取りに支障が生ずることのないようにすることができる。
【００７１】
具体的には、図５に示すように、比較的背の低いヒーターユニット２３を搭載する場合には、上水平フレーム部１２１を鉛直フレーム部１２３の上端部に接続し（図５（ａ）参照）、比較的背の高いヒーターユニット２３を搭載する場合には、上水平フレーム部１２１を鉛直フレーム部１２３の上端部よりも下げた位置に接続する（図５（ｂ）参照）。さらに背の高いヒーターユニット２３を搭載する場合には、一旦、上斜材１５３を取り外し、残りの上水平フレーム部１２１（上縦フレーム部材１５１および上横フレーム部材１５２）を下方に下げた後、上斜材１５３を上縦フレーム部材１５１および上横フレーム部材１５２の上部に取り付けるようにしてもよい（図５（ｃ）参照）。さらに、ヒーターユニット２３の後面で支持する場合には、上水平フレーム部１２１全体を取り外すようにしてもよい（図５（ｄ）参照）。
【００７２】
なお、本実施形態では、上水平フレーム部１２１を鉛直フレーム部１２３の上端部に接続する場合、上縦フレーム部材１５１を、接続金具１６７により柱状フレーム部材１７２と接続する構成としたが（図３および図４参照）、上縦フレーム部材１５１を、接続金具１６７により桁状フレーム部材１７１と接続するようにしてもよい。もっとも、鉛直フレーム部１２３に対する上水平フレーム部１２１の鉛直方向における接続位置を調整することを考えると、あらかじめ、上縦フレーム部材１５１を、接続金具１６７により柱状フレーム部材１７２と接続しておくことが好ましい。
【００７３】
以上のように、本実施形態のインクジェット記録装置１によれば、搭載するヒーターユニット２３の種類を変えた場合にも、記録媒体Ｗおよび間紙Ｐの巻取りに支障が生ずることのない巻取部用機台２４を備えたことで、記録媒体Ｗの種別や印刷方法等に適した乾燥条件となるヒーターユニット２３を搭載することができる。このため、記録媒体Ｗおよび間紙Ｐの巻取りに支障が生ずることなく、記録媒体Ｗの種別や印刷方法に適した乾燥を行うことができる。
【００７４】
なお、本実施形態では、ヒーターユニット２３を、円弧状の放熱面１２５ａをガイド面として、記録媒体Ｗおよび間紙Ｐの送りを案内する構成としたが、これに限定されるものではなく、例えば、ヒーターユニット２３を直方体状に形成し、その平坦な上面をガイド面として、記録媒体Ｗおよび間紙Ｐの送りを案内するようにしてもよい。この場合には、必要に応じ、ヒーターユニット２３と巻取りユニット２１との間で、記録媒体Ｗおよび間紙Ｐの送りをガイドするガイドローラを、巻取部用機台２４に追加することが好ましい。このような設計変更についても、上縦フレーム部材１５１等と同じ押出し形材および接続金具１６７を用いることで、容易に行うことができる。
【符号の説明】
【００７５】
１：インクジェット記録装置、５：印刷部、２１：巻取りユニット、２３：ヒーターユニット、２４：巻取部用機台、１２１：上水平フレーム部、１２２：下水平フレーム部、１２３：鉛直フレーム部、Ｗ：記録媒体
【図１】
2014047033.tif 000003
【図２】
2014047033.tif 000004
【図３】
2014047033.tif 000005
【図４】
2014047033.tif 000006
【図５】
2014047033.tif 000007